(57)【特許請求の範囲】
【請求項１】
複数の伝送装置と、それらの伝送装置を接続する伝送路とを有するシステムの前記伝送装置内に設けられる装置において、
前記伝送路上の障害発生状態を示す伝送路障害情報を前記伝送路から入力する伝送路障害情報入力部と、
接続する伝送路上の障害を認識した場合に、認識した伝送路上の障害情報を、前記伝送路障害情報入力部が入力した前記伝送路障害情報に付加する情報付加部と、
前記伝送路障害情報を前記伝送路に出力する伝送路障害情報出力部と、
前記伝送路上の障害以外の障害に対するアラーム情報を格納する下位障害情報格納部と、
前記伝送路上の障害に対するアラーム情報を格納する上位障害情報格納部と、
前記下位障害情報格納部に格納されたアラーム情報及び前記上位障害情報格納部に格納されたアラーム情報に基づいて障害発生を監視する監視部とを備えたことを特徴とする伝送障害処理装置。
【請求項２】
前記伝送路が二重化されている場合に、前記伝送路障害情報は、二つの伝送系で独立に設けられていることをことを特徴とする請求項１に記載の伝送障害処理装置。
【請求項３】
前記伝送路から伝送路障害情報を入力できなかった場合に、伝送路障害情報を組み立てる伝送路障害情報組立部を設けたことを特徴とする請求項１に記載の伝送障害処理装置。
【発明の詳細な説明】
【０００１】
【産業上の利用分野】
本発明は、複数の伝送装置（ノード）とそれらを接続する伝送路から構成される伝送システムにおいて、伝送路障害とこの伝送路障害発生の影響により２次的に発生する障害とを区別して障害処理を行うようにした装置に関する。
【０００２】
【従来の技術】
複数の伝送装置（ノード）とそれらを接続する伝送路から構成される伝送システムにおいて、障害が生じると、その障害に対応した上位アラームが発生するが、障害によっては、この上位アラームの影響により２次的アラームが発生することもある。
【０００３】
そのため、アラーム間に優先順位を設け、上位のアラームが発生している場合には、下位アラームの発生を抑止するアラーム抑止処理が行われている。
しかしながら、伝送路上に発生した障害に対しては、障害が発生した伝送路に接続するノードしか検出ができず、その他のノードは、１次原因となった伝送路障害が認識できずに、下位のアラームのみを検出していた。例えば、図２に示すようなリング型に接続されたシステムで、ノード＃１とノード＃２間の伝送路に障害が発生した場合、ノード＃１とノード＃４は、ノード間通信障害を検出する。また、ノード＃２は、入力信号断障害、ノード間通信障害及び端末Ａと端末ａ間の接続パスパリティ異常を検出する。そして、ノード＃３は、ノード間通信障害、端末Ｂと端末ｂ間の接続パスパリティ異常及び端末ｃと端末Ｃ間の接続パスパリティ異常を検出する。
【０００４】
このような結果、同一障害に起因する複数のアラームが各伝送装置からネットワーク監視装置に通知されるため、トラフィックの増大を招いたり、１次原因の特定が困難になったりしている。
【０００５】
ここで、下位のアラームには、無条件で発生するもの、障害が発生した伝送路を通っている通信に関係したもののみに発生するもの等、さまざまなものがある。
【０００６】
そこで、自ノード内でアラームが発生するのを抑止する他に、伝送路上にアラームが発生した場合に生じる下位アラームをノード間で抑止する手段が必要となっている。
【０００７】
従来、このようなノード間アラームを抑止するため、例えば以下の２つの技術が用いられている。
第１の従来技術は、各ノードに搭載された監視プログラムがアラーム情報を検出し、上位アラームの伝送路障害情報を検出した場合に、その情報を他のノードに送信し、送信を受けたノードは、下位アラームの発生を無視してネットワーク監視装置に通知しないようにする。
【０００８】
第２の従来技術は、ネットワーク監視装置が全アラーム情報を入力した後に、アラーム情報を一項目毎に取り出し、上位アラームが発生している場合には、下位アラームを無視して取り出さないようにする。
【０００９】
【発明が解決しようとする課題】
前記第１の従来技術では、上位アラームの障害情報が全ノードに伝わるまでに下位アラームも通知されてしまうという問題や、各ノードに搭載された監視ソフトウェアを介して伝送路障害障害情報が伝わるため、速やかに処理できないという問題が生じている。
【００１０】
また、前記第２の従来技術では、全発生アラームがネットワーク監視装置に通知されるため、伝送路上のトラフィックの増大が解消されないという問題や、ネットワーク監視装置の負担が増大するという問題が生じている。
【００１１】
本発明は、このような事情に鑑みてなされたもので、伝送路障害発生時にシステム全体へ波及する２次障害の通知を抑止することのできる伝送障害処理方法を提供することを第１の課題とする。
【００１２】
また、本発明は、伝送路障害発生時にシステム全体へ波及する２次障害の通知を抑止することのできる伝送障害処理装置を提供することを第２の課題とする。
【００１３】
【課題を解決するための手段】
《本発明の第１の伝送障害処理方法》
本発明の第１の伝送障害処理方法は、前述した第１の課題を解決するため、下記の如く構成されている。図１は、第１の伝送障害処理方法に対応した原理フロー図である。
【００１４】
即ち、複数の伝送装置１０Ａ〜１０Ｄと、それらの伝送装置１０Ａ〜１０Ｄを接続する伝送路２０Ａ〜２０Ｄとを有するシステムにおいて、前記伝送路２０Ａ〜２０Ｄでの障害発生状態を示す伝送路障害情報を前記伝送装置１０Ａ〜１０Ｄ間で周回させる。そして、前記伝送装置１０Ａ〜１０Ｄは、接続する伝送路２０Ａ〜２０Ｄ上の障害を認識した場合に、認識した伝送路２０Ａ〜２０Ｄの障害情報を、入力した前記伝送路障害情報に付加して出力するように構成されている。
【００１５】
《本発明の第２の伝送障害処理方法》
本発明の第２の伝送障害処理方法は、前述した第１の課題を解決するため、下記の如く構成されている。
【００１６】
即ち、第１の伝送障害処理方法において、前記伝送装置１０Ａ〜１０Ｄは、前記伝送路２０Ａ〜２０Ｄから伝送路障害情報を入力できなかった場合に、伝送路障害情報を組み立てて前記伝送路２０Ａ〜２０Ｄに出力する。
【００１７】
《本発明の第３の伝送障害処理方法》
本発明の第３の伝送障害処理方法は、前述した第１の課題を解決するため、下記の如く構成されている。
【００１８】
即ち、第１の伝送障害処理方法において、前記システムに障害が発生したことを示すアラーム情報を入力するネットワーク監視装置４０を設け、前記伝送装置１０Ａ〜１０Ｄは、前記伝送路障害情報から伝送路障害発生を検出した場合に、伝送路障害発生の影響により自伝送装置１０Ａ〜１０Ｄで２次的に発生する障害のアラーム情報を前記ネットワーク監視装置４０に通知しない。
【００１９】
《本発明の第４の伝送障害処理方法》
本発明の第４の伝送障害処理方法は、前述した第１の課題を解決するため、下記の如く構成されている。
【００２０】
即ち、第３の伝送障害処理方法において、前記伝送装置１０Ａ〜１０Ｄは、伝送装置１０Ａ〜１０Ｄに接続する端末３０Ａ〜３０Ｄ間のパス形態情報を有し、前記伝送路障害情報から伝送路障害発生を検出した場合に、この伝送路障害発生が、接続する端末３０Ａ〜３０Ｄに影響があるかを前記パス形態情報により判断し、影響があると判断された場合に、接続する端末３０Ａ〜３０Ｄで２次的に発生する障害のアラーム情報を前記ネットワーク監視装置４０に通知しない。
【００２１】
《本発明の第５の伝送障害処理方法》
本発明の第５の伝送障害処理方法は、前述した第１の課題を解決するため、下記の如く構成されている。
【００２２】
即ち、第３の伝送障害処理方法において、前記伝送装置１０Ａ〜１０Ｄは、前記伝送路障害情報から伝送路障害発生を検出した場合に、前記ネットワーク監視装置４０に対して、伝送路障害発生を上位アラームとして通知した後、２次的に発生する障害を抑止し、その結果残った障害を下位アラームとして通知する。
【００２３】
《本発明の第１の伝送障害処理装置》
本発明の第１の伝送障害処理装置は、前述した第２の課題を解決するため、下記の如く構成されている。図２は、第１の伝送障害処理装置に対応した原理構成図である。
【００２４】
即ち、複数の伝送装置１０Ａ〜１０Ｄと、それらの伝送装置１０Ａ〜１０Ｄを接続する伝送路２０Ａ〜２０Ｄとを有するシステムの前記伝送装置１０Ａ〜１０Ｄ内に設けられる装置において、伝送路障害情報入力部１１Ａ、情報付加部１１Ｂ、伝送路障害情報出力部１１Ｃ、下位障害情報格納部１２Ａ、上位障害情報格納部１２Ｂ及び監視部１７を必須構成要素として備えて構成されている（請求項１に対応）。
【００２５】
（伝送路障害情報入力部１１Ａ）
伝送路障害情報入力部１１Ａは、前記伝送路２０Ａ〜２０Ｄ上の障害発生状態を示す伝送路障害情報を前記伝送路２０Ａ〜２０Ｄから入力する。
【００２６】
（情報付加部１１Ｂ）
情報付加部１１Ｂは、接続する伝送路２０Ａ〜２０Ｄ上の障害を認識した場合に、認識した伝送路２０Ａ〜２０Ｄ上の障害情報を、前記伝送路障害情報入力部１１Ａが入力した前記伝送路障害情報に付加する。なお、ここでいう付加には、情報をつけ加えるということの他に既に存在する情報を更新することも含まれる。
【００２７】
（伝送路障害情報出力部１１Ｃ）
伝送路障害情報出力部１１Ｃは、前記伝送路障害情報を前記伝送路２０Ａ〜２０Ｄに出力する。
【００２８】
（下位障害情報格納部１２Ａ）
下位障害情報格納部１２Ａは、前記伝送路２０Ａ〜２０Ｄ上の障害以外の障害に対する障害情報を格納する。
【００２９】
（上位障害情報格納部１２Ｂ）
上位障害情報格納部１２Ｂは、前記伝送路２０Ａ〜２０Ｄ上の障害に対する障害情報を格納する。
【００３０】
（監視部１７）
監視部１７は、前記下位障害情報格納部１２Ａに格納された障害情報及び前記上位障害情報格納部１２Ｂに格納された障害情報に基づいて障害発生を監視する。
【００３１】
《本発明の第２の伝送障害処理装置》
本発明の第２の伝送障害処理装置は、前述した第２の課題を解決するため、下記の如く構成されている。
【００３２】
即ち、第１の伝送障害処理装置において、前記伝送路２０Ａ〜２０Ｄが二重化されている場合に、前記伝送路障害情報は、二つの伝送系で独立に設けられている（請求項２に対応）。
【００３３】
《本発明の第３の伝送障害処理装置》
本発明の第３の伝送障害処理装置は、前述した第２の課題を解決するため、下記の如く構成されている。
【００３４】
即ち、第１の伝送障害処理装置において、前記伝送路２０Ａ〜２０Ｄから伝送路障害情報を入力できなかった場合に、伝送路障害情報を組み立てる伝送路障害情報組立部１１Ｄを設けてある（請求項３に対応）。
【００３５】
【作用】
本発明の第１の伝送障害処理方法によれば、各伝送装置１０Ａ〜１０Ｄは、任意の位置で発生した伝送路障害情報を、それぞれの装置が独立して、同時かつ瞬時に認識することができるようになる。
【００３６】
また、本発明の第２の伝送障害処理方法によれば、伝送路２０Ａ〜２０Ｄの切断等により、伝送路障害情報が入力できない場合でも、残った伝送システムが正常に動作することが期待できるようになる。
【００３７】
そして、本発明の第３の伝送障害処理方法によれば、ネットワーク監視装置４０に対して、２次的に発生する障害のアラーム情報の通知が控えられるので、ネットワーク監視装置４０の負担が増大しなくなるとともに、伝送路２０Ａ〜２０Ｄ上のトラフィック増大が抑止される。
【００３８】
さらに、本発明の第４の伝送障害処理方法によれば、発生した伝送路障害に影響のある端末３０Ａ〜３０Ｄ間のアラーム情報の通知のみが控えられる。
また、本発明の第５の伝送障害処理方法によれば、上位アラームが通知された後、下位アラームが通知されるので、ネットワーク監視装置４０は、優先度の高いアラームを優先的に処理できるようになる。
【００３９】
次に、本発明の第１の伝送障害処理装置によれば、各伝送装置１０Ａ〜１０Ｄは、伝送路障害情報を参照して下位アラームの障害情報通知を控えるので、伝送路上のトラフィック増大が抑止される。
【００４０】
また、本発明の第２の伝送障害処理装置によれば、二重化された系毎に、第１の構成による伝送障害処理装置の作用が行われるようになる。
そして、本発明の第３の伝送障害処理装置によれば、伝送路障害情報が入力されない場合でも、残った伝送システムが正常に動作することが期待できるようになる。
【００４１】
【実施例】
以下、本発明の伝送障害処理装置の実施例を図面を参照して説明する。
《伝送障害処理装置が使用される伝送システム》
図４は、伝送障害処理装置が使用される伝送システムを示している。この伝送システムは、端末３０Ａ〜３０Ｆ、伝送装置（ノードともいう）１０Ａ〜１０Ｄ、伝送路２０Ａ〜２０Ｄ及びネットワーク監視装置４０から構成されている。以下、各構成要素を説明する。
【００４２】
（端末３０Ａ〜３０Ｆ）
端末３０Ａ及び端末３０Ｂは、伝送装置１０Ａに接続している。
また、端末３０Ｃは、伝送装置１０Ｂに接続している。
【００４３】
更に、端末３０Ｄ及び端末３０Ｅは、伝送装置１０Ｃに接続している。
そして、端末３０Ｆは、伝送装置１０Ｄに接続している。
端末３０Ａ〜３０Ｆは、それぞれ、電話機、ファクシミリ、コンピュータ等を利用することができる。
【００４４】
（ネットワーク監視装置４０）
ネットワーク監視装置４０は、伝送路２０Ｄに接続し伝送システム内に発生した障害を監視する。
【００４５】
（伝送路２０Ａ〜２０Ｄ）
伝送路２０Ａ〜２０Ｄは、運用系／予備系または０系／１系のように二重化して設けることができる。
【００４６】
（伝送装置１０Ａ〜１０Ｄ同士の接続関係）
伝送装置１０Ａと伝送装置１０Ｂは、伝送路２０Ａを介して接続する。
伝送装置１０Ｂと伝送装置１０Ｃは、伝送路２０Ｂを介して接続する。
【００４７】
伝送装置１０Ｃと伝送装置１０Ｄは、伝送路２０Ｃを介して接続する。
伝送装置１０Ｄと伝送装置１０Ａは、伝送路２０Ｄを介して接続する。
《伝送装置１０Ａ〜１０Ｄの構成》
伝送装置１０Ａ〜１０Ｄは、図５に示すように、ビット・信号変換部１３、フレーム多重分割部１４、端末Ｉ／Ｆ部１５Ａ〜１５Ｃ及び監視部１７を備えて構成されている。
【００４８】
（ビット・信号変換部１３）
ビット・信号変換部１３は、伝送路２０上を流れる電気信号または光信号と、ノード１０内でのデータ形式であるビット列とを相互に変換する。
【００４９】
また、ビット・信号変換部１３は、伝送路上に発生した障害状態をビットのオン・オフで示す上位障害情報格納部ＦＡＳＲと、伝送装置内に発生した障害状態をビットのオン・オフで示す下位障害情報格納部ＳＡＳＲを有している。
【００５０】
（フレーム多重分割部１４）
フレーム多重分割部１４は、ビット・信号変換部１３から出力された多重化データを分割して端末Ｉ／Ｆ１５に分配したり、端末Ｉ／Ｆ１５から出力されたデータを多重化してビット・信号変換部１３に出力する。
【００５１】
また、フレーム多重分割部１４は、ビット・信号変換部１３は、伝送路上に発生した障害状態をビットのオン・オフで示す上位障害情報格納部ＦＡＳＲを有している。
【００５２】
（端末Ｉ／Ｆ部１５Ａ〜１５Ｃ）
端末Ｉ／Ｆ部１５Ａ〜１５Ｃは、それぞれ接続される端末３０Ａ〜Ｃとのインタフェースを受け持つ。
【００５３】
また、端末Ｉ／Ｆ部１５Ａ〜１５Ｃは、ビット・信号変換部１３は、伝送路上に発生した障害状態をビットのオン・オフで示す上位障害情報格納部ＦＡＳＲを有している。
【００５４】
（監視部１７）
監視部１７は、ビット・信号変換部１３、フレーム多重分割部１４及び端末Ｉ／Ｆ部１５Ａ〜１５Ｃに設けられた上位障害情報格納部ＦＡＳＲから障害発生状態を読み出すと共に、ビット・信号変換部１３に設けられた下位障害情報格納部ＳＡＳＲから障害発生状態を読み出す。そして、図６に示すような、論理関係から、各種のアラームを生成し、ネットワーク監視装置４０に通知する。
【００５５】
ここで、図６の論理関係を説明する。
まず、自ノード伝送路障害を検出した場合には、光入力断発生アラーム（ＩＮＤＷＮ）が生成される。
【００５６】
そして、自ノード伝送路障害を検出していない状態で方向異常を発生した場合には、方向ビット異常発生アラーム（ＤＩＲ）が生成される。
さらに、自ノード伝送路障害を検出していない状態でＢＡＩＳを検出した場合には、ＢＡＩＳ検出アラーム（ＢＡＩＳ）が生成される。
【００５７】
また、自ノード伝送路障害を検出していない状態でパリティ異常を検出し、更に、他ノード伝送路障害を検出していない場合には、パリティ異常検出アラーム（ＰＴＹ）が生成される。
【００５８】
《伝送装置１０Ａ〜１０Ｄのビット・信号変換部１３の詳細構成》
伝送装置１０Ａ〜１０Ｄのビット・信号変換部１３は、図７に示すように、信号／ビット変換部１３Ａ、同期検出部１３Ｂ、伝送路障害情報取出部１３Ｃ、上位障害情報格納部ＦＡＳＲ、下位障害情報格納部ＳＡＳＲ、監視部間通信情報取出部１３Ｄ、監視部間受信レジスタ１３Ｅ、伝送路障害情報組立部１３Ｆ、自ノード障害情報付加部１３Ｇ、監視部間送信レジスタ１３Ｈ、監視部間通信情報付加部１３Ｉ、同期パターン付加部１３Ｊ及びビット・信号変換部１３Ｋを備えて構成されている。
【００５９】
（信号／ビット変換部１３Ａ）
信号／ビット変換部１３Ａは、伝送路２０上を流れている信号（光信号または電気のパルス信号）を０／１のビットパターン（ビット列情報）に変換して取り込み、フレームに組み立てる。
図８に、組み立てたデータフレームの例を示す。
【００６０】
データフレームは、ＣＣＩＴＴ勧告のＳＤＨフォーマットに準拠しており、１行あたり２７０バイトのデータが９行集合してできている。データフレームの各行の１バイト目から９バイト目までは、ヘッダ情報を格納するヘッダ領域（ＳＯＨ；Ｓｔａｒｔ  ｏｆ  Ｈｅａｄｉｎｇ）であり、各行の１０バイト目から２７０バイト目までは、データを格納するＰａｙｌｏａｄ領域である。このＰａｙｌｏａｄ領域に、伝送路障害情報や端末間通信情報が搭載される。
【００６１】
なお、データフレームは、１行めの１バイト目から２７０バイト目まで順番に組み立てられた後、２行目の１バイト目から２７０バイト目まで順番に組み立てられ、以後、９行目まで同様に行われる。
【００６２】
（同期検出部１３Ｂ）
同期検出部１３Ｂは、信号／ビット変換部１３Ａで組み立てたフレームから同期パターンビット（図８で、１行目の１〜３番の３バイト領域Ａ１と４〜６番の３バイト領域Ａ２）を検出し、フレーム同期を合わせる。
【００６３】
フレーム同期が合わせられた情報は、フレーム多重分割部１４に出力される。
（伝送路障害情報取出部１３Ｃ）
伝送路障害情報取出部１３Ｃは、伝送路を流れる情報のある固定帯域（タイムスロット）から伝送路障害情報を取り出す。固定帯域は、予めシステムで決められる。
【００６４】
伝送路障害情報を、図９を参照して説明する。図９で、最上位行に書かれた“７”から“０”までの数字はビット位置を示し、“ｉｎ”の後に続く“０”又は“１”の数字は、伝送路２０の系番号を示している。そして、“ｉｎ＃．”（＃＝０、１）の後に続く２桁の数字は、２つのノードの番号を示している。即ち、例えば、“ｉｎ０．６４”は、０系の伝送路２０における６番と４番のノード間の伝送路を指している。そして、“ｉｎ０．６４”と書かれた領域の値が“０”ならば、０系の伝送路２０上の６番と４番のノード間には伝送路障害が無いことを意味し、領域の値が“１”ならば、０系の伝送路２０上の６番と４番のノード間には伝送路障害が有ることを意味する。なお、ここでの説明のノードの番号は、図４中の各伝送装置の番号に対応するものではなく、例えば、伝送装置１０Ａが１番で、伝送装置１０Ｂが２番というように置き換えて使用する。
【００６５】
（上位障害情報格納部ＦＡＳＲ）
上位障害情報格納部ＦＡＳＲは、伝送路障害情報取出部１３Ｃで取り出した情報、即ち自ノード伝送路障害と他ノード伝送路障害を格納（反映）する。
【００６６】
（下位障害情報格納部ＳＡＳＲ）
下位障害情報格納部ＳＡＳＲは、信号／ビット変換部１３Ａ、同期検出部１３Ｂ、伝送路障害情報取出部１３Ｃ、監視部間通信情報取出部１３Ｄ，伝送路障害情報組立部１３Ｆ、監視部間通信情報付加部１３Ｉ、同期パターン付加部１３Ｊ及びビット／信号変換部１３Ｋで検出されたアラーム情報、即ち装置内のアラーム情報を格納（反映）する。
【００６７】
アラーム情報には、例えば、信号／ビット変換部１３Ａで検出される信号入力断障害に関するもの、同期検出部１３Ｂで検出されるフレームずれに関するもの等がある。
【００６８】
（監視部間通信情報取出部１３Ｄ）
監視部間通信情報取出部１３Ｄは、受信フレームからノード間通信情報（図８で、６〜９行目の１〜９バイト領域Ｄ４〜Ｄ１２）を取り出す。
【００６９】
（監視部間受信レジスタ１３Ｅ）
監視部間受信レジスタ１３Ｅは、監視部間通信情報取出部１３Ｄで取り出された情報を格納（反映）する。格納した値は、受信割り込みに使用される。
【００７０】
（伝送路障害情報組立部１３Ｆ）
伝送路障害情報組立部１３Ｆは、受信異常により、伝送路障害情報取出部１３Ｃで伝送路障害情報を取り出せなかった場合に、ダミー情報（伝送路障害未発生情報）を作成する。
【００７１】
伝送路障害情報組立部１３Ｆの出力と伝送路障害情報取出部１３Ｃの出力とは、いずれか一方がビット／信号変換部１３Ｋに入力される。
（自ノード障害情報付加部１３Ｇ）
自ノード障害情報付加部１３Ｇは、伝送路障害情報取出部１３Ｃで取り出された伝送路障害情報又は伝送路障害情報組立部１３Ｆで組み立てられた伝送路障害情報に、下位障害情報格納部ＳＡＳＲに格納された値に基づいて、自ノードでの伝送路障害検出の有無を付加する。
【００７２】
（監視部間送信レジスタ１３Ｈ）
監視部間送信レジスタ１３Ｈは、監視部１７の送信要求内容を格納（反映）する。
【００７３】
（監視部間通信情報付加部１３Ｉ）
監視部間通信情報付加部１３Ｉは、監視部間送信レジスタ１３Ｈの内容をノード間通信情報（図８で、６〜９行目の１〜９バイト領域Ｄ４〜Ｄ１２）に付加する。
【００７４】
（同期パターン付加部１３Ｊ）
同期パターン付加部１３Ｊは、フレーム多重分割部１４から出力された情報に同期パターンビット（図８で、１行目の１〜６バイト領域Ａ１〜Ａ２）を付加する。
【００７５】
（ビット／信号変換部１３Ｋ）
ビット／信号変換部１３Ｋは、同期パターン付加部１３Ｊで同期パターンビットが付加された情報を伝送路２０上を流れる信号（光信号または電気のパルス信号）に変換する。
【００７６】
そして、ビット／信号変換部１３Ｋの出力と伝送路２０から入力した信号とは、バイパス制御されて伝送路２０に出力される。
《実施例の動作》
次に、実施例の動作を説明する。なお、以下の説明においては、伝送装置１０Ａ・１０Ｂ・１０Ｃ・１０Ｄを、それぞれ、ノード１・２・３・４として説明する。
【００７７】
まず、図４に示す実施例の伝送システムにおいて、ノード１とノード２間の伝送路の０系で伝送路障害が発生したと仮定する。この時、上位アラームとしてノード２で光入力断発生アラームＩＮＤＷＮが検出され、下位アラームとして、各ノードに無条件で発生するアラームであるノード間通信障害と、関係するパスにのみ発生するパスパリティアラームが検出される。
【００７８】
光入力断発生アラームＩＮＤＷＮが発生するノード２では、伝送路障害情報を取り出せないため、ノード２内の伝送路障害状態組立部１３Ｆでダミーデータが作成され、このデータに、ノード２の０系での障害発生を示すビット（ｉｎ０．０２）が“１”にされる。他のノードは、この情報を受け取り、上位障害情報格納部ＦＡＳＲに格納（反映）する。
【００７９】
一方、各ノードの監視部１７は、図６に示す関係と、図１０〜１４に示す各種テーブルを参照して図１５に示す手順で下位アラームを抑止する。ここで、図１０〜１４に示す各種テーブルは、システム構築時にネットワーク監視装置４０にて一元的に作成され、各ノードに与えられる。
【００８０】
次に、図１５及び図１６を参照して、実施例のアラーム抑止処理を説明する。まず、各ノード１〜４に搭載された監視部１７は、ビット・信号変換部１３に設けられた上位障害情報格納部ＦＡＳＲを周期的に監視すると共に、ビット・信号変換部１３、フレーム多重分割部１４及び端末Ｉ／Ｆ部１５Ａ〜１５Ｃに設けられた下位障害情報格納部ＳＡＳＲを周期的に監視し、まず、ビット・信号変換部１３の障害状況を検索する（ステップ１５０１）。
【００８１】
そして、図６に示す関係を利用して、上位アラームが有るか否かを判断する（ステップ１５０２）。
ステップ１５０２で、「有る」と判断された場合に、上位アラームを他のノードに通知する（ステップ１５０３）。
【００８２】
そして、図１０に示すテーブルを利用して抑止パターン番号を得る（ステップ１５０４）。例えば、図４に示す状況では、ノード２の抑止パターン番号は１となり、それ以外のノードの抑止パターン番号は２となる。
【００８３】
更に、図１０に示すテーブルにおいて、無条件抑止する下位アラームがある場合、該当する障害情報をマスクする（ステップ１５０５）。例えば、図４に示す状況では、全ノードともノード間通信障害アラームをマスクする。
【００８４】
次に、各ノード１〜４で、接続されている端末Ｉ／Ｆ数分、ステップ１５０８以降の処理を行ったか否かを判断し（ステップ１５０６）、処理したと判断した場合に下位アラームを通知して（ステップ１５０７）、アラーム抑止処理を終了する。
【００８５】
ステップ１５０６で、端末Ｉ／Ｆ数分の処理を終了していない場合には、図１０に示す抑止パターンテーブルから抑止条件を調べる（ステップ１５０８）。
そして、抑止条件が有るか否かを判断する（ステップ１５０９）。
【００８６】
ステップ１５０９で、「ＮＯ」、即ち、抑止条件無しと判断された場合には、下位アラームと抑止テーブルとの論理和をとる（ステップ１５１０）。
ステップ１５０９で、「ＹＥＳ」と判断され、更に、上位アラームが他ノードでの伝送路障害（抑止パターン番号＝２）のためにノード間接続のみという抑止条件が与えられている場合（ステップ１５１１）、接続形態はノード間か否かを判断する（ステップ１５１５）。
【００８７】
ステップ１５１５で、「ＹＥＳ」と判断された場合には、図１２に示すアラーム抑止テーブルから該当する抑止データを取り出し、端末Ｉ／Ｆ部１５Ａ〜１５Ｃのアラーム情報との論理和をとる（ステップ１５１６）。ここで、アラーム抑止テーブルは、各パターンによりマスクするビットを０とし、マスクしないビットを１として、マスク／非マスクの情報の情報分けを行っている。その結果、図１１に示すようにアラーム情報がマスクされている。図１１中に使用されている記号とその意味は、以下の通りである。
【００８８】
ＢＡＩＳ０  ：０系側でＢＡＩＳアラームを検出した。
ＢＡＩＳ１  ：１系側でＢＡＩＳアラームを検出した。
ＣＫ０ＤＮ  ：０系側でクロック入力断が発生した。
【００８９】
ＣＫ１ＤＮ  ：１系側でクロック入力断が発生した。
ｄｉ０．＊＊：チャネル＊＊の０系側で方向ビット異常を検出した。
ｄｉ１．＊＊：チャネル＊＊の１系側で方向ビット異常を検出した。
【００９０】
ＤＩＲ０ＩＬ：０系側で方向ビット異常を検出した。
ＤＩＲ１ＩＬ：１系側で方向ビット異常を検出した。
ＦＰ０ＤＮ  ：０系側でフレームパルス断が発生した。
【００９１】
ＦＰ０ＤＮ  ：１系側でフレームパルス断が発生した。
ＦＰ１ＤＮ  ：１系側でフレームパルス断が発生した。
ＰＲＹ０ＤＥ：０系側でパリティ異常アラームを検出した。
【００９２】
ＰＲＹ１ＤＥ：１系側でパリティ異常アラームを検出した。
ＰＴ０．＊＊：チャネル＊＊の０系側でパリティ異常アラームを検出した。
ＰＴ１．＊＊：チャネル＊＊の１系側でパリティ異常アラームを検出した。
【００９３】
ＳＥＬ０ＡＬ：０系側で受信選択回路異常が発生した。
ＳＥＬ１ＡＬ：１系側で受信選択回路異常が発生した。
次に、ステップ１５０９で、「ＹＥＳ」と判断され、更に、上位アラームが他ノードでの伝送路障害（抑止パターン番号＝２）のため、関係するパスのみ抑止といった抑止条件が与えられている場合（ステップ１５１２）、図１３に示すテーブルからパス番号を求める（ステップ１５１３）。
【００９４】
そして、図１４に示すテーブルより、障害が発生している伝送路に、ステップ１５１３で求めたパスが関係するか否かを判断する（ステップ１５１４）。例えば、図４に示す状況では、ノード３に接続する端末ｂ（３０Ｄ）と端末Ｃ（３０Ｅ）間のパスが関係すると判断される。
【００９５】
ステップ１５１４で、「ＹＥＳ」、即ち、関係すると判断された場合に、ステップ１５１６を実行する。図４に示す状況では、ノード３は、パターン２の０系障害情報を取り出して、端末Ｉ／Ｆ部のアラーム情報との論理和をとることになる。
【００９６】
ステップ１５１５で「ＮＯ」と判断された場合、ステップ１５１６の処理後、ステップ１５１４で「ＮＯ」と判断された場合、ステップ１５１２で「ＮＯ」と判断された場合及びステップ１５１０の処理後に、再度ステップ１５０６からの処理を行う。
【００９７】
《実施例の効果》
以上説明したように、本実施例によれば、重要度の高い上位アラームを検出した時点でそのことを監視部１７に通知し、その後、重要度の低い下位アラームの検索と抑止を行う。そして、上位アラームは、下位アラームよりも優先してネットワーク監視装置４０に通知される。そのため、伝送システム内に上位アラームと下位アラームが同時に複数発生した場合でも、上位アラームが本発明による下位アラーム抑止処理の影響を受けずに通知され、上位アラームを優先して処理できる効果を有する。
【００９８】
なお、図４のノード２は、伝送路障害のために伝送路障害情報を獲得できないが、監視部１７は、下位障害情報格納部ＳＡＳＲにより伝送路障害を知ることが可能である。そのため、図１０から求められる抑止パターン番号は１となり、ノード間接続されている端末３０のアラーム抑止処理をパス形態に関係なく行うことが可能である。
【００９９】
【発明の効果】
本発明の第１から第５の伝送障害処理方法によれば、各伝送装置が、伝送路障害情報を参照して下位アラームの障害情報通知を控えることにより、伝送路障害発生時にシステム全体へ波及する２次障害の通知を抑止することが可能となる。
【０１００】
特に、本発明の第１の伝送障害処理方法によれば、伝送路上のトラフィック増大が抑止される。
また、本発明の第２の伝送障害処理方法によれば、伝送路の切断等により、伝送路障害情報が入力できない場合でも、残った伝送システムが正常に動作することが期待できるようになる。
【０１０１】
そして、本発明の第３の伝送障害処理方法によれば、ネットワーク監視装置に対して、２次的に発生する障害のアラーム情報通知が控えられるので、ネットワーク監視装置の負担が増大しなくなる。
【０１０２】
さらに、本発明の第４の伝送障害処理方法によれば、発生した伝送路障害に影響のある端末間のアラーム情報通知が控えられる。
また、本発明の第５の伝送障害処理方法によれば、上位アラームが通知された後、下位アラームが通知されるので、伝送路障害情報を速やかに処理できるようになる。
【０１０３】
次に、本発明の第１から第３の伝送障害処理装置によれば、各伝送装置が、伝送路障害情報を参照して下位アラームの障害情報通知を控えることにより、伝送路障害発生時にシステム全体へ波及する２次障害の通知を抑止することが可能となる。
【０１０４】
特に、本発明の第１の伝送障害処理装置によれば、伝送路上のトラフィック増大が抑止される。
また、本発明の第２の構成の伝送障害処理装置によれば、二重化された系毎に、第１の伝送障害処理装置の効果が期待される。
【０１０５】
そして、本発明の第３の構成の伝送障害処理装置によれば、伝送路障害情報が入力されない場合でも、残った伝送システムが正常に動作することが期待できるようになる。
【図面の簡単な説明】
【図１】本発明における伝送障害処理方法の原理フロー図である。
【図２】本発明における伝送障害処理装置の原理構成図である。
【図３】伝送路障害時に発生するアラームの例を示す図である。
【図４】実施例の伝送システムを示す図である。
【図５】実施例のノード（伝送装置）の構成図である。
【図６】実施例の上位アラームと下位アラームの関係を示す図である。
【図７】実施例のビット・信号変換部の詳細構成図である。
【図８】実施例のデータフレームを示す図である。
【図９】伝送路が二重化された伝送システムにおける伝送路障害情報の例を示す図である。
【図１０】実施例の抑止パターンテーブルを示す図である。
【図１１】実施例の端末Ｉ／Ｆ部のアラームレジスタを示す図である。
【図１２】実施例のアラーム抑止テーブルとその構造を示す図である。
【図１３】実施例のパス情報テーブルを示す図である。
【図１４】実施例の接続形態管理テーブルを示す図である。
【図１５】実施例のアラーム抑止処理フローチャート（その１）である。
【図１６】実施例のアラーム抑止処理フローチャート（その２）である。
【符号の説明】
ＦＡＳＲ  上位障害情報格納部
ＳＡＳＲ  下位障害情報格納部
１０  伝送装置（ノード）
１１Ａ  伝送路障害情報入力部
１１Ｂ  情報付加部
１１Ｃ  伝送路障害情報出力部
１２Ａ  上位障害情報格納部
１２Ｂ  下位障害情報格納部
１３  ビット・信号変換部
１３Ａ  信号／ビット変換部
１３Ｂ  同期検出部
１３Ｃ  伝送路障害情報取出部
１３Ｄ  上位障害情報格納部
１３Ｅ  監視プログラム間通信情報取出部
１３Ｆ  監視プログラム間受信レジスタ
１３Ｇ  下位障害情報格納部
１３Ｈ  伝送路障害情報組立部
１３Ｉ  自ノード障害情報付加部
１３Ｊ  監視プログラム間送信レジスタ
１３Ｋ  監視プログラム間通信情報付加部
１３Ｌ  同期パターン付加部
１３Ｍ  ビット／信号変換部
１４  フレーム多重分割部
１５  端末Ｉ／Ｆ部
１７  監視部
２０  伝送路
３０  端末
４０  ネットワーク監視装置
【図１】
0003547215.tif 000002
【図２】
0003547215.tif 000003
【図３】
0003547215.tif 000004
【図４】
0003547215.tif 000005
【図５】
0003547215.tif 000006
【図６】
0003547215.tif 000007
【図７】
0003547215.tif 000008
【図８】
0003547215.tif 000009
【図９】
0003547215.tif 000010
【図１０】
0003547215.tif 000011
【図１１】
0003547215.tif 000012
【図１２】
0003547215.tif 000013
【図１３】
0003547215.tif 000014
【図１４】
0003547215.tif 000015
【図１５】
0003547215.tif 000016
【図１６】
0003547215.tif 000017